(57)【要約】【課題】文字のビットマップデータを重ね合わせることによって文字の太さを変更するようにして、使用者の好みの太さの文字を容易に生成することができるようにする。【解決手段】文字の線の太さを変更するウエイト変更手段を有する画像処理装置において、前記文字のビットマップデータを生成する生成部と、該生成部によって生成されたビットマップデータをコピーするコピー部１６ａと、前記ウエイト変更手段によって設定された設定値に基づき、前記コピー部１６ａによってコピーされたコピーデータと前記生成部によって生成されたビットマップデータとを所定量ずらして重ね合わせる重合部１９ａと、前記ウエイト変更手段によって設定された設定値に基づき、前記重合部１９ａによって重ね合わされた重合データから前記文字に対応するビットマップデータを生成するデータ生成部１９ｂとを有する。【選択図】図１
2006098626.tif 000002
【特許請求の範囲】
【請求項１】
文字の線の太さを変更するウエイト変更手段を有する画像処理装置において、
（ａ）前記文字のビットマップデータを生成する生成部と、
（ｂ）該生成部によって生成されたビットマップデータをコピーするコピー部と、
（ｃ）前記ウエイト変更手段によって設定された設定値に基づき、前記コピー部によってコピーされたコピーデータと前記生成部によって生成されたビットマップデータとを所定量ずらして重ね合わせる重合部と、
（ｄ）前記ウエイト変更手段によって設定された設定値に基づき、前記重合部によって重ね合わされた重合データから前記文字に対応するビットマップデータを生成するデータ生成部とを有することを特徴とする画像処理装置。
【請求項２】
前記重合部は、前記文字の回転方向に基づき、前記コピーデータと前記ビットマップデータとを重ね合わせる方向を変更する請求項１に記載の画像処理装置。
【請求項３】
前記重合部は、前記ウエイト変更手段で設定された設定値に基づき、前記コピーデータと前記ビットマップデータとを重ね合わせる量を変更する請求項１に記載の画像処理装置。
【請求項４】
前記データ生成部は、前記ウエイト変更手段によって設定された設定値に基づき、前記重合データのＡＮＤデータ部分又はＯＲデータ部分を選択する請求項１に記載の画像処理装置。
【請求項５】
前記生成部は前記文字の回転方向に基づいてビットマップデータを生成し、前記コピー部は前記文字の回転方向に基づいて生成されたビットマップデータをコピーする請求項１に記載の画像処理装置。                                                            
【請求項６】
前記ウエイト変更手段は前記文字の種類毎に設定値を変更することができる請求項１に記載の画像処理装置。
【発明の詳細な説明】
【技術分野】
【０００１】
本発明は、画像処理装置に関するものである。
【背景技術】
【０００２】
従来、プリンタ装置においては、アウトラインフォント等のフォントの文字の太さ、すなわち、ウエイトを変化させるために、ページ記述言語によってウエイトを指定する手段を備えている（例えば、特許文献１参照。）。この場合、前記プリンタ装置は、内蔵されている指定ウエイトに相当するフォントを使用するので、フォントの輪郭線は段階的に太くなるようになっている。
【特許文献１】特開平７−５２４６３号公報
【発明の開示】
【発明が解決しようとする課題】
【０００３】
しかしながら、前記従来のプリンタ装置においては、極わずかにウエイトを太くしたり細くしたりするというように、ウエイトを微調整することができなかった。また、ウエイトを微調整することができるようにする場合には、様々なウエイトのフォントを記憶手段に記憶させる必要があり、フォントデータのための記憶容量が増加してしまう。
【０００４】
本発明は、前記従来の画像処理装置の問題点を解決して、文字のビットマップデータを重ね合わせることによって文字の太さを変更するようにして、使用者の好みの太さの文字を容易に生成することができる画像処理装置を提供することを目的とする。
【課題を解決するための手段】
【０００５】
そのために、本発明の画像処理装置においては、文字の線の太さを変更するウエイト変更手段を有する画像処理装置において、前記文字のビットマップデータを生成する生成部と、該生成部によって生成されたビットマップデータをコピーするコピー部と、前記ウエイト変更手段によって設定された設定値に基づき、前記コピー部によってコピーされたコピーデータと前記生成部によって生成されたビットマップデータとを所定量ずらして重ね合わせる重合部と、前記ウエイト変更手段によって設定された設定値に基づき、前記重合部によって重ね合わされた重合データから前記文字に対応するビットマップデータを生成するデータ生成部とを有する。
【発明の効果】
【０００６】
本発明によれば、画像処理装置は、文字のビットマップデータを重ね合わせることによって文字の太さを変更するようになっている。そのため、使用者の好みの太さの文字を容易に生成することができる。
【発明を実施するための最良の形態】
【０００７】
以下、本発明の実施の形態について図面を参照しながら詳細に説明する。
【０００８】
図１は本発明の第１の実施の形態におけるプリンタ装置の構成を示すブロック図である。
【０００９】
図において、１１は画像処理装置としてのプリンタ装置であり、図示されないパーソナルコンピュータ等の上位装置が送信するページ記述言語における印字コマンドを解析し、指定のフォントで印刷を行うようになっている。なお、前記プリンタ装置１１はインクジェット式、電子写真式、熱転写式等いかなる種類のプリンタ装置であってもよい。
【００１０】
そして、前記プリンタ装置１１は、上位装置が送信したページ記述言語を解析するページ記述言語解析部１２、前記ページ記述言語のうちテキスト描画に関連するコマンドを扱うテキスト描画部１３、プリンタ装置１１の使用者が入力したプリンタ装置１１の設定を受け付けるプリンタ設定操作盤１４、該プリンタ設定操作盤１４に入力された文字の太さ、すなわち、ウエイトの設定状態を保持する設定保持部１５、及び、フォントのウエイトの調節量を格納する不揮発性メモリ１５ａを有する。ここで、前記プリンタ設定操作盤１４、設定保持部１５及び不揮発性メモリ１５ａは、文字の線の太さを変更するウエイト変更手段としてのウエイト変更部２２を構成する。
【００１１】
また、前記プリンタ装置１１は、描画するフォントがアウトラインフォントである場合、後述されるフォントラスタライザであるビットマップデータ生成部１７にビットマップデータを生成させ、指定のフォントがビットマップフォントである場合はフォントデータ１８から文字コードに該当するビットマップデータの格納位置を検索する文字管理部１６を有する。なお、該文字管理部１６は、生成されたビットマップデータをコピーするコピー部１６ａを備える。
【００１２】
さらに、前記プリンタ装置１１は、前記フォントデータ１８から指定の文字コードに該当する１文字分の輪郭線情報を読み込み、ビットマップ形式の文字、すなわち、文字のビットマップデータを生成するフォントラスタライザとしてのビットマップデータ生成部１７、及び、ビットマップデータに対して設定保持部１５に記憶しているウエイト設定値から文字の輪郭線を補正する文字合成部１９を有する。ここで、該文字合成部１９は、前記コピー部１６ａによってコピーされたコピーデータと前記ビットマップデータ生成部１７によって生成されたビットマップデータとを前記ウェイト変更部２２で設定された設定値に基づき、所定量ずらして重ね合わせる重合部１９ａ、及び、前記ウエイト変更部２２で設定された設定値に基づき、前記重合部１９ａによって重ね合わされた重合データから文字に対応するビットマップデータを生成するデータ生成部１９ｂを備える。
【００１３】
さらに、前記プリンタ装置１１は、文字、図形等のページに描画する内容を中間言語に変換するページデータ生成部２０、及び、該ページデータ生成部２０が中間言語として生成したページ描画内容をすべてドットデータに展開して印刷する展開部２１を有する。
【００１４】
次に、前記構成のプリンタ装置１１の動作について説明する。ここでは、文字の輪郭線を補正する輪郭補正の動作について説明する。
【００１５】
図２は本発明の第１の実施の形態におけるプリンタ設定操作盤（オペレータパネル）の例を示す図、図３は本発明の第１の実施の形態における重合データから文字に対応するビットマップデータを得る動作を示す第１の図、図４は本発明の第１の実施の形態における重合データから文字に対応するビットマップデータを得る動作を示す第２の図、図５は本発明の第１の実施の形態における動作を示す第１のフローチャート、図６は本発明の第１の実施の形態における動作を示す第２のフローチャートである。
【００１６】
まず、プリンタ装置１１の使用者は、図２に示されるようなプリンタ装置１１上に配設されたプリンタ設定操作盤１４からフォントのウエイトの調節量を設定する。該フォントのウエイトの調節量は、例えば、上限を＋１０（１０ビット太く）、下限を−１０（１０ビット細く）とする範囲とし、プリンタ装置１１の使用者が前記調節量の設定を行わない場合の標準調節量は０とする。なお、図２（ａ）は、プリンタ装置１１の使用者がフォントのウエイトの調節量の設定を行わない例を示し、図２（ｂ）は、プリンタ装置１１の使用者がフォントのウエイトの調節量を−３に設定した例を示している。
【００１７】
続いて、前記プリンタ設定操作盤１４は、設定されたフォントのウエイトの調節量を設定保持部１５に通知する。そして、該設定保持部１５は、通知された前記調節量を不揮発性メモリ１５ａに格納して保存する。これにより、プリンタ装置１１の電源を落としても、次に電源を入れる際は、前記不揮発性メモリ１５ａから保存してある前記調節量を読み出し、設定を復元することができるようになっている。
【００１８】
次に、プリンタ装置１１が上位装置からページ記述言語を受信すると、ページ記述言語解析部１２は該当するコマンド処理を起動する。前記ページ記述言語に含まれるコマンド群のうちフォント、フォントの傾きや太さ、テキストのサイズ等のテキスト印字に関連するものについては、テキスト描画部１３にコマンドの内容が通知される。なお、本実施の形態におけるプリンタ装置１１は、ページ記述言語によってテキスト以外の図形描画やイメージに関するコマンドも解析して印刷することが可能であるが、テキスト以外の図形描画やイメージについては、説明を省略する。ページ記述言語には、印刷用紙に対して０度、９０度、１８０度及び２７０度の４方向に編集方向を指定するコマンドが含まれている。なお、ビットマップフォントは、正立（０度）の状態をビットマップ化したものが一般的である。
【００１９】
続いて、プリンタ装置１１が上位装置から印字コードを受信すると、テキスト描画部１３は、その時点までに解析したフォント設定とともに、前記印字コードを文字管理部１６に通知する。
【００２０】
そして、指定のフォントがアウトラインフォントの場合は、ビットマップデータ生成部１７に文字を生成させる。該ビットマップデータ生成部１７は、文字管理部１６が指定したフォントと印字コードに該当する輪郭線座標データをフォントデータ１８から読み取り、後述される編集方向を加味して回転を掛けた状態のビットマップデータをプリンタ装置１１に搭載されているメモリ上に生成する。
【００２１】
次に、文字管理部１６は、指定のフォントがビットマップフォントである場合、フォントデータ１８内の指定のフォント及び指定の文字コードを検索し、ビットマップデータの格納位置を取得する。
【００２２】
また、編集方向として０度以外が指定されている、すなわち、編集方向に回転が必要である場合は、プリンタ装置１１に搭載されているメモリ上に回転を加えたビットマップデータを生成する。そして、コピー部１６ａは、生成されたビットマップデータをコピーする。また、前記文字管理部１５は使用するビットマップデータの格納位置を文字合成部１９に通知する。
【００２３】
続いて、該文字合成部１９の重合部１９ａは、文字の回転方向を検出する。そして、文字合成部１９は不揮発性メモリ１５ａに保存されていたフォントのウエイトの調節量を取り出して参照する。また、文字合成部１９のデータ生成部１９ｂは、フォントのウエイトの調節量に基づくずらし量及び回転方向に基づくずらし方向によってビットマップデータとコピーデータとを重ね合わせる。
【００２４】
続いて、前記フォントのウエイトの設定が判断される。すなわち、フォントのウエイトの調節量がプラスであるか又はマイナスであるかが判断される。なお、プリンタ装置１１の使用者が前記調節量の設定を行っておらず、前記調節量が０である場合には、文字の輪郭線の補正は行われない。
【００２５】
そして、前記調節量がプラスである場合、データ生成部１９ｂは、取得したビットマップデータと前記調節量分ドットをずらしたそのビットマップデータ自身との論理和を採った状態を前記メモリ上に生成する。すなわち、重合データのＯＲデータ部分を選択し、ビットマップデータの合成によって文字の輪郭を太らせる。なお、ずらす方向は、印刷用紙に対する編集方向によって異なり、図３に示されるように、編集方向が０度の場合は右、９０度の場合は上、１８０度の場合は左、及び、２７０度の場合は下とする。ここで、編集方向が９０度の場合、０度の場合と同様に右にずらすと、文字の形状が０度のものと変わってしまうので、上にずらすようになっている。なお、例えば、編集方向が２７０度の場合には、左及び下にずらしてもよいが、右上部分に切り欠きが発生した箇所を埋めるための補正を行う必要がある。
【００２６】
また、サイズが小さいフォントに対して前記調節量としてのマイナス値（細らせる）が指定されている場合は、文字の輪郭線が細くなりすぎるので、フォントのサイズが一定のサイズ以下のときは、文字の輪郭線の補正は行われないようにしてもよい。。
【００２７】
そして、前記調節量がマイナスである場合、データ生成部１９ｂは、取得したビットマップデータと調節量分ドットをずらしたそのビットマップデータ自身とで論理積を行った結果を前記メモリ上の生成する。すなわち、重合データのＡＮＤデータ部分を選択し、ビットマップデータの合成によって文字の輪郭を細らせる。なお、ずらす方向は印刷用紙に対する編集方向によって異なり、図４に示されるように、０度は左、９０度は下、１８０度は右、２７０度は上とする。
【００２８】
次に、文字合成部１９は、ページデータ生成部２０に印刷用紙上の文字の位置とともに補正後のビットマップデータの格納アドレスを通知する。そして、前記ページデータ生成部２０は、ページ排出指定が通知されるまで、描画データを中間言語として溜（た）め込み、印刷する。
【００２９】
続いて、前記ページ記述言語解析部１２は、改ページコマンドを受信すると、ページデータ生成部２０に対してページ排出指定を通知する。前記ページデータ生成部２０は展開部２１に１ページ分の印刷データを渡して印刷する。
【００３０】
次に、フローチャートについて説明する。
ステップＳ１  プリンタ装置１１の使用者がプリンタ設定操作盤１４からフォントのウエイトの調節量を設定する。
ステップＳ２  プリンタ設定操作盤１４に入力されたフォントのウエイトの調節量を設定保持部１５に保存する。
ステップＳ３  ページ記述言語による文字印字を含む印刷データを受信する。
ステップＳ４  フォント、印字コード等印字する文字に関する指定を蓄積する。
ステップＳ５  指定のフォントのデータ形式を判断する。データ形式がアウトラインフォントである場合はステップＳ６に進み、ビットマップフォントである場合はステップＳ７に進む。
ステップＳ６  ビットマップデータ生成部１７がビットマップ形式の文字を生成する。
ステップＳ７  指定のフォント、文字コードに該当するビットマップデータを検索する。
ステップＳ８  編集方向に回転が必要であるか否かを判断する。編集方向に回転が必要である場合はステップＳ９に進み、編集方向に回転が必要でない場合はステップＳ１０に進む。
ステップＳ９  ビットマップデータを回転する。
ステップＳ１０  ビットマップデータをコピーする。
ステップＳ１１  文字の回転方向を検出する。
ステップＳ１２  ウエイトの調節量を取り出す。
ステップＳ１３  ウエイトの調節量に基づくずらし量及び回転方向に基づくずらし方向によって、ビットマップデータとコピーデータとを重ね合わせる。
ステップＳ１４  ウエイトの設定を判断する。細らせ指定である場合はステップＳ１６に進み、太らせ指定である場合はステップＳ１５に進み、調節量が０である場合はステップＳ１８に進む。
ステップＳ１５  ＯＲデータ部分を選択し、ビットマップデータの合成によって輪郭を太らせる。
ステップＳ１６  フォントサイズが有効であるか否かを判断する。フォントサイズが有効である場合はステップＳ１７に進み、フォントサイズが無効である場合はステップＳ１８に進む。
ステップＳ１７  ＡＮＤデータ部分を選択し、ビットマップデータの合成によって輪郭を細らせる。
ステップＳ１８  補正終了後のビットマップデータ及び用紙上の印字位置を中間言語に変換する。
ステップＳ１９  １ページ分のページ記述言語の解析が終了した場合は印刷を行い、処理を終了する。
【００３１】
このように、本実施の形態においては、プリンタ設定操作盤１４に入力されたフォントのウエイトの調節量に従ってアウトラインフォントから生成したビットマップデータ又はビットマップフォントの文字の太さ、すなわち、ウエイトが変化するので、プリンタ装置１１の使用者は好みのウエイトの印字結果を得ることができる。
【００３２】
また、ビットマップデータの重ね合わせによって実現しているので、複雑な計算処理が不要であり、文字形成処理が速くなる。
【００３３】
さらに、文字の回転方向に応じてデータのずらす方向を変えるので、文字の回転方向によらず文字の形状を同じにすることができる。
【００３４】
次に、本発明の第２の実施の形態について説明する。なお、第１の実施の形態と同じ構造を有するものについては、同じ符号を付与することによって、その説明を省略する。また、前記第１の実施の形態と同じ動作及び効果についても、その説明を省略する。
【００３５】
図７は本発明の第２の実施の形態におけるプリンタ装置の構成を示すブロック図、図８は本発明の第２の実施の形態におけるプリンタ設定操作盤の例を示す図である。
【００３６】
前記第１の実施の形態においては、プリンタ装置１１のプリンタ設定操作盤１４によるウエイト設定がすべてのフォントに対して適用されるようになっているが、本実施の形態においては、ウエイトの設定をフォント毎に使い分けることができる。そのため、本実施の形態における不揮発性メモリ１５ａは、図７に示されるように、フォント毎に対応付けてウエイトの調節量を格納するようになっている。また、前記第１の実施の形態においては、図２に示されるように、プリンタ設定操作盤１４における左右の矢印キーによってウエイトを選択するだけであるのに対し、本実施の形態においては、図８に示されるように、プリンタ設定操作盤１４における左右の矢印キーによってウエイトを選択するとともに、上下の矢印キーによってフォントを選択するようになっている。なお、図８（ａ）は、プリンタ装置１１の使用者がフォントのウエイトの調節量の設定を行わない例を示し、図８（ｂ）は、プリンタ装置１１の使用者がフォントＮｏ．０のウエイト量の調節量を６に設定した例を示し、図８（ｃ）は、プリンタ装置１１の使用者がフォントＮｏ．１のウエイト量の調節量を−１に設定した例を示している。
【００３７】
次に、本実施の形態におけるプリンタ装置１１の輪郭補正の動作について説明する。
【００３８】
図９は本発明の第２の実施の形態におけるプリンタ装置の動作を示す第１のフローチャート、図１０は本発明の第２の実施の形態におけるプリンタ装置の動作を示す第２のフローチャートである。
【００３９】
まず、プリンタ装置１１の使用者は、図８に示されるようなプリンタ装置１１上に配設されたプリンタ設定操作盤１４からフォント毎にウエイトの調節量を設定する。該フォントのウエイトの調節量は、例えば、上限を＋１０、下限を−１０とする範囲とし、プリンタ装置１１の使用者が前記調節量の設定を行わない場合の標準調節量は０とする。なお、前記第１の実施の形態においては、ウエイトの調節量に関する設定項目は１種類だけであり、その設定がすべてのフォントに対して反映されるのに対して、本実施の形態においては、フォント毎にウエイトの調節量の設定項目が存在する。
【００４０】
続いて、前記プリンタ設定操作盤１４は、設定されたフォントのウエイトの調節量を設定保持部１５に通知する。そして、該設定保持部１５は、通知された前記調節量を不揮発性メモリ１５ａに格納して保存する。なお、前記第１の実施の形態においては、不揮発性メモリ１５ａに保存するのが１つの調節量であるのに対して、本実施の形態においては、フォント毎の調節量をすべて保存する。
【００４１】
これ以降、文字合成部１９の重合部１９ａが文字の回転方向を検出するまでの動作は、前記第１の実施の形態と同様であるので、説明を省略する。
【００４２】
そして、文字合成部１９は不揮発性メモリ１５ａに保存されていたフォントのウエイトの調節量を取り出して参照する。ここで、前記第１の実施の形態においては、１つしか存在しないウエイトの調節量を参照するのに対して、本実施の形態においては、指定されたフォントに対応するウエイトの調節量を参照する。なお、これ以降の動作は、前記第１の実施の形態と同様であるので、説明を省略する。
【００４３】
次に、フローチャートについて説明する。
ステップＳ２１  プリンタ装置１１の使用者がプリンタ設定操作盤１４からフォント毎にウエイトの調節量を設定する。
ステップＳ２２  プリンタ設定操作盤１４に入力されたフォント毎のウエイト設定を設定保持部１５に保存する。
ステップＳ２３  ページ記述言語による文字印字を含む印刷データを受信する。
ステップＳ２４  フォント、印字コード等印字する文字に関する指定を蓄積する。
ステップＳ２５  指定のフォントのデータ形式を判断する。データ形式がアウトラインフォントである場合はステップＳ２６に進み、ビットマップフォントである場合はステップＳ２７に進む。
ステップＳ２６  ビットマップデータ生成部１７がビットマップ形式の文字を生成する。
ステップＳ２７  指定のフォント、文字コードに該当するビットマップデータを検索する。
ステップＳ２８  編集方向に回転が必要であるか否かを判断する。編集方向に回転が必要である場合はステップＳ２９に進み、編集方向に回転が必要でない場合はステップＳ３０に進む。
ステップＳ２９  ビットマップデータを回転する。
ステップＳ３０  ビットマップデータをコピーする。
ステップＳ３１  文字の回転方向を検出する。
ステップＳ３２  指定のフォントに対するウエイトの調節量を取り出す。
ステップＳ３３  ウエイトの調節量に基づくずらし量及び回転方向に基づくずらし方向によって、ビットマップデータとコピーデータとを重ね合わせる。
ステップＳ３４  ウエイトの設定を判断する。細らせ指定である場合はステップＳ３６に進み、太らせ指定である場合はステップＳ３５に進み、調節量が０である場合はステップＳ３８に進む。
ステップＳ３５  ＯＲデータ部分を選択し、ビットマップデータの合成によって輪郭を太らせる。
ステップＳ３６  フォントサイズが有効であるか否かを判断する。フォントサイズが有効である場合はステップＳ３７に進み、文字サイズが無効である場合はステップＳ３８に進む。
ステップＳ３７  ＡＮＤデータ部分を選択し、ビットマップデータの合成によって輪郭を細らせる。
ステップＳ３８  補正終了後のビットマップデータ及び用紙上の印字位置を中間言語に変換する。
ステップＳ３９  １ページ分のページ記述言語の解析が終了した場合は印刷を行い、処理を終了する。
【００４４】
このように、本実施の形態においては、フォント毎にウエイトの調節量を指定することができるので、光学文字読み取り用フォント、バーコードフォント等のように、文字形状や輪郭線が規格で定められ、補正を加えてはいけないフォントを補正の対象外とすることができる。
【００４５】
なお、前記第１及び第２の実施の形態は、上位装置からページ記述言語によって文字描画コマンドを受信し、内部で印刷イメージを生成する印刷装置に適用することができる。また、表示装置に送信するデータ生成処理にも適用することができる。
【００４６】
なお、本発明は前記実施の形態に限定されるものではなく、本発明の趣旨に基づいて種々変形させることが可能であり、それらを本発明の範囲から排除するものではない。
【図面の簡単な説明】
【００４７】
【図１】本発明の第１の実施の形態におけるプリンタ装置の構成を示すブロック図である。
【図２】本発明の第１の実施の形態におけるプリンタ設定操作盤の例を示す図である。
【図３】本発明の第１の実施の形態における重合データから文字に対応するビットマップデータを得る動作を示す第１の図である。
【図４】本発明の第１の実施の形態における重合データから文字に対応するビットマップデータを得る動作を示す第２の図である。
【図５】本発明の第１の実施の形態における動作を示す第１のフローチャートである。
【図６】本発明の第１の実施の形態における動作を示す第２のフローチャートである。
【図７】本発明の第２の実施の形態におけるプリンタ装置の構成を示すブロック図である。
【図８】本発明の第２の実施の形態におけるプリンタ設定操作盤の例を示す図である。
【図９】本発明の第２の実施の形態におけるプリンタ装置の動作を示す第１のフローチャートである。
【図１０】本発明の第２の実施の形態におけるプリンタ装置の動作を示す第２のフローチャートである。
【符号の説明】
【００４８】
１１    プリンタ装置
１６ａ    コピー部
１７    ビットマップデータ生成部
１９ａ    重合部
１９ｂ    データ生成部
２２    ウエイト変更部
【図１】
2006098626.tif 000003
【図２】
2006098626.tif 000004
【図３】
2006098626.tif 000005
【図４】
2006098626.tif 000006
【図５】
2006098626.tif 000007
【図６】
2006098626.tif 000008
【図７】
2006098626.tif 000009
【図８】
2006098626.tif 000010
【図９】
2006098626.tif 000011
【図１０】
2006098626.tif 000012